(57)【特許請求の範囲】
【請求項１】
筺体内に収容された機器Ｄ１と機器Ｄ２とがコネクタ付きケーブルＣで接続され、
コネクタ付きケーブルＣにおける少なくとも機器Ｄ２に接続される側の端部に、外周形状が非円形のコネクタ部αが設けられ、
コネクタ付きケーブルＣの配線経路に、コネクタ付きケーブルＣを通すためのケーブル挿通穴を有するケーブル挿通部材が設けられた
遊技機であって、
ケーブル挿通穴の内周形状がコネクタ部αの外周形状と略同形とされるとともに、
機器Ｄ２から取り外したコネクタ部αをケーブル挿通部材よりも機器Ｄ１側へ引き抜こうとしてコネクタ部αがケーブル挿通穴の挿通方向一端側の周辺部に当接した際に、コネクタ部αがケーブル挿通穴を通過できる向きとなるまでコネクタ部αをケーブル挿通穴に対して旋回させるための旋回ガイド手段が設けられた
ことを特徴とする遊技機。
【請求項２】
旋回ガイド手段が、ケーブル挿通部材におけるケーブル挿通穴の挿通方向一端側の周辺部に設けられたケーブル挿通部材側ガイド体とされた請求項１記載の遊技機。
【請求項３】
ケーブル挿通部材側ガイド体の内面が、ケーブル挿通穴の挿通方向一端側に近い部分よりも遠い部分の方がケーブル挿通穴の中心線よりも遠くなるように傾斜して形成され、
ケーブル挿通部材側ガイド体の内面における、コネクタ部αの機器Ｄ２に接続される側とは反対側の端部に当接する部分が、傾斜螺旋面状に形成された請求項２記載の遊技機。
【請求項４】
ケーブル挿通部材側ガイド体が、ケーブル挿通穴の全周部に設けられた請求項２又は３記載の遊技機。
【請求項５】
旋回ガイド手段が、コネクタ付きケーブルＣのコネクタ部αにおける機器Ｄ２に接続される側とは反対側の端部に設けられたコネクタ側ガイド体とされた請求項１〜４いずれか１つに記載の遊技機。
【請求項６】
コネクタ側ガイド体が、機器Ｄ２が接続される側とは反対側に向かって先細り状に形成されるとともに、
コネクタ側ガイド体の外周面におけるケーブル挿通穴の挿通方向一端側の周辺部に当接する部分が、傾斜螺旋面状に形成された
請求項５記載の遊技機。
【請求項７】
ケーブル挿通部材が、
機器Ｄ１、機器Ｄ２若しくはこれら以外の機器を内蔵したユニットを筺体内の所定箇所に支持するためのユニット支持部材、
筺体内を仕切るための仕切部材、又は、
機器Ｄ１、機器Ｄ２若しくはこれら以外の機器を覆って保護するための機器保護部材
のいずれかである請求項１〜６いずれか１つに記載の遊技機。
【請求項８】
筺体内におけるケーブル挿通部材のケーブル挿通穴の近傍に、遊技の進行を制御するためのメイン制御基板が配された請求項１〜７いずれか１つに記載の遊技機。
【発明の詳細な説明】
【技術分野】
【０００１】
本発明は、回路基板に接続したケーブルを通すためのケーブル挿通穴を有するケーブル挿通部材が筺体内に設けられた遊技機に関する。
【背景技術】
【０００２】
回胴式遊技機やパチンコ遊技機等の遊技機の筺体内には、各種の機器が収容されている。これらの機器は、コネクタ部が取り付けられたケーブル（コネクタ付きケーブル）によって接続される。例えば、筺体前扉部の前面側における液晶表示ユニットの周辺に照明やシャッター等の演出装置が設けられた回胴式遊技機では、当該演出装置は、筺体前扉部の後面側に配置された中継ユニットに内蔵された回路基板に対して、コネクタ付きケーブルを介して接続されることが多い。
【０００３】
しかし、上記の演出装置の後面側は、通常、液晶表示ユニットを筺体前扉部に取り付けるための液晶表示ユニット用取付けベースで覆われた状態となっている。このため、液晶表示ユニット用取付けベースに、コネクタ付きケーブルを通すためのケーブル挿通穴（例えば、特許文献１の図１１において、表示ユニット５１の把手６１における左係合部６３Ｌ及び右係合部６３Ｒの近傍に設けられた矩形状の開口部を参照）を設けることが行われている。
【０００４】
回胴式遊技機等の遊技機の筺体内において、コネクタ付きケーブルは、上記の演出装置と中継ユニットとを接続するもの以外にも各種あり、ケーブル挿通穴が設けられた部材（ケーブル挿通部材）も、液晶表示ユニット用取付けベース以外にも各種ある。
【先行技術文献】
【特許文献】
【０００５】
【特許文献１】特開２００７−３１３０４４号公報
【発明の概要】
【発明が解決しようとする課題】
【０００６】
ところが、ケーブル挿通部材におけるケーブル挿通穴にコネクタ付きケーブルを挿通させる構造を遊技機で採用すると、以下のような問題があった。
【０００７】
例えば、上記のように、筺体前扉部の前面側における液晶表示ユニットの周辺に設けられた照明やシャッター等の演出装置に接続されたコネクタ付きケーブルを、液晶表示ユニット用取付けベース（ケーブル挿通部材）に設けられたケーブル挿通穴に挿通して液晶表示ユニット用取付けベースの後面側に引き出して中継ユニットに接続した場合には、演出装置を筺体前扉部から取り外す際にコネクタ付きケーブルが断線する虞や、演出装置の取り外し作業が煩わしくなる虞や、不正アクセスを行いやすくする虞があった。
【０００８】
すなわち、筺体前扉部の前面側に取り付けられた演出装置を取り外す作業は、通常、中継ユニットからコネクタ付きケーブルを取り外した状態としながらも、演出装置にはコネクタ付きケーブルを取り付けた状態のまま、演出装置を筺体前扉部の前方に引き抜くことによって行われる。しかし、このように作業すると、演出装置を前方に引き抜く際（ケーブル挿通穴からコネクタ付きケーブルが引き抜かれる際）に、コネクタ付きケーブルのコネクタ部（中継ユニットから取り外された側の端部に設けられたコネクタ部）が、液晶表示ユニット用取付けベース（ケーブル挿通部材）におけるケーブル挿通穴の周辺部に引っ掛かることによって、コネクタ付きケーブルが過度に引っ張られて断線する可能性がある。
【０００９】
したがって、筺体前扉部の前面側に取り付けられた演出装置を筺体前扉部から取り外す作業は、コネクタ付きケーブルにおける中継ユニットから取り外された側のコネクタ部を手で摘まんでその向きや位置を調整しながら行うことが望ましい。しかし、この場合には、演出装置の取り外し作業が煩わしくなるという問題が生ずる。特に、上述したような演出装置は、大きく重量もあるため、それを両手で持った状態でないと取り外しにくい。コネクタ部を摘まみながら演出装置を取り外す作業には、より大きな困難が伴うことになる。
【００１０】
この点、コネクタ部の外周寸法に対してケーブル挿通穴の開口面積を十分に広くしておくと、コネクタ部がケーブル挿通穴の周辺部に引っ掛かりにくくすることができる。しかし、ケーブル挿通穴の開口面積を広くすると、そのケーブル挿通穴が不正アクセスの手掛かりとされるリスクが高まる。特に、回胴式遊技機の筺体内における、上述した液晶表示ユニット用取付けベースの後側のスペース（上述した演出装置の後側のスペース）には、遊技の全体的な制御を司る回路基板（メイン制御基板）が収容されたメイン制御基板ユニットが配されることが多いため、液晶表示ユニット用取付けベース（ケーブル挿通部材）に設けるケーブル挿通穴の開口面積を広くすると、そのケーブル挿通穴をメイン制御基板ユニットへの不正アクセスの手掛かりとしやすくなるという問題がある。
【００１１】
不正アクセスを防止するという観点からは、液晶表示ユニット取付けベース等のケーブル挿通部材に設けるケーブル挿通穴は、その開口面積をできるだけ小さくできるように、コネクタ付きケーブルのコネクタ部（通常、外周形状が矩形状とされる。）をぎりぎり通過させることができる程度の寸法の矩形状に形成すると好ましい。しかし、この場合には、上記のコネクタ部の引っ掛かりが益々生じやすくなってしまう。
【００１２】
本発明は、上記課題を解決するために為されたものであり、遊技機において、ケーブル挿通部材に設けるケーブル挿通穴の開口面積を小さく抑えて不正アクセスを防止しながらも、ケーブル挿通穴からコネクタ付きケーブルを引き抜く際にコネクタ部がケーブル挿通穴の周辺部に引っ掛かりにくくすることを目的とするものである。
【課題を解決するための手段】
【００１３】
上記課題は、
筺体内に収容された機器Ｄ１と機器Ｄ２とがコネクタ付きケーブルＣで接続され、
コネクタ付きケーブルＣにおける少なくとも機器Ｄ２に接続される側の端部に、外周形状が非円形のコネクタ部αが設けられ、
コネクタ付きケーブルＣの配線経路に、コネクタ付きケーブルＣを通すためのケーブル挿通穴を有するケーブル挿通部材が設けられた
遊技機であって、
ケーブル挿通穴の内周形状がコネクタ部αの外周形状と略同形とされるとともに、
機器Ｄ２から取り外したコネクタ部αをケーブル挿通部材よりも機器Ｄ１側へ引き抜こうとしてコネクタ部αがケーブル挿通穴の挿通方向一端側の周辺部に当接した際に、コネクタ部αがケーブル挿通穴を通過できる向きとなるまでコネクタ部αをケーブル挿通穴に対して旋回させるための旋回ガイド手段が設けられた
ことを特徴とする遊技機
を提供することによって解決される。
【００１４】
かかる構成によって、ケーブル挿通穴の開口面積を小さく抑えて、ケーブル挿通穴を不正アクセスの手掛かりとしにくくすることが可能になる。また、機器Ｄ２から取り外したコネクタ部αをケーブル挿通部材よりも機器Ｄ１側へ引き抜こうとした際には、コネクタ部αがケーブル挿通穴を通過できる向きに自然と旋回するようになるため、コネクタ部αがケーブル挿通穴の周辺部に引っ掛からないようにすることも可能になる。ところで、本明細書において、「筺体内」とは、遊技機における、それを外側から眺めたとき（遊技機の筺体が前扉を有する等、開閉体を有する場合には、当該開閉体を閉じた状態で眺めたとき）に目視できない箇所のことを云う。すなわち、遊技機の筺体は、一般的に、その前面が開放された箱状を為す筺体本体と、筺体本体の前面を開閉できる状態で筺体本体に取り付けられた前扉とで構成され、前扉には、それを閉じた状態としても筺体本体の内側空間に収まり切らない箇所（筺体本体の前面よりも前方に位置する箇所等）もあるところ、そのような箇所であっても、前扉を閉じたときに外側から目視できない状態となるのであれば、「筺体内」に含まれるものとする。
【００１５】
本発明の遊技機においては、旋回ガイド手段を、ケーブル挿通部材におけるケーブル挿通穴の挿通方向一端側の周辺部に設けられたケーブル挿通部材側ガイド体とすることができる。かかる構成によって、コネクタ付きケーブルＣとして従来使用していたものを用いながらも、コネクタ部αがケーブル挿通穴を通過できる向きとなるまで旋回するようにすることが可能になる。
【００１６】
本発明の遊技機において、旋回ガイド手段をケーブル挿通部材側ガイド体とする場合には、ケーブル挿通部材側ガイド体の内面（ケーブル挿通穴の中心線側を向く面のこと。以下同じ。）を、ケーブル挿通穴の挿通方向一端側に近い部分よりも遠い部分の方がケーブル挿通穴の中心線よりも遠くなるように傾斜して形成し、ケーブル挿通部材側ガイド体の内面における、コネクタ部αの機器Ｄ２に接続される側とは反対側の端部に当接する部分を、傾斜螺旋面状に形成すると好ましい。かかる構成によって、コネクタ部αをよりスムーズに旋回させることが可能になる。
【００１７】
本発明の遊技機において、旋回ガイド手段をケーブル挿通部材側ガイド体とする場合には、ケーブル挿通部材側ガイド体を、ケーブル挿通穴の全周部に設けると好ましい。ケーブル挿通穴の周辺部における一部の区間のみにケーブル挿通部材側ガイド体を設けていると、コネクタ部αがケーブル挿通穴の周辺部に当接する姿勢等によっては、ケーブル挿通部材側ガイド体の切れ目にコネクタ部αが引っ掛かる可能性を排除できないところ、かかる構成によって、コネクタ部αがケーブル挿通穴の周辺部に当接する姿勢等によらず、コネクタ部αがケーブル挿通穴の周辺部に引っ掛からないようにすることが可能になる。
【００１８】
本発明の遊技機においては、旋回ガイド手段を、コネクタ付きケーブルＣのコネクタ部αにおける機器Ｄ２に接続される側とは反対側の端部に設けたコネクタ側ガイド体とすることもできる。かかる構成によって、ケーブル挿通部材として従来使用していたものを用いながらも、コネクタ部αがケーブル挿通穴を通過できる向きとなるまで旋回するようにすることが可能になる。
【００１９】
本発明の遊技機において、旋回ガイド手段をコネクタ側ガイド体とする場合には、コネクタ側ガイド体を、機器Ｄ２が接続される側とは反対側に向かって先細り状に形成するとともに、コネクタ側ガイド体の外周面におけるケーブル挿通穴の挿通方向一端側の周辺部に当接する部分を、傾斜螺旋面状に形成すると好ましい。かかる構成によって、コネクタ部αをよりスムーズに旋回させることが可能になる。
【００２０】
本発明の遊技機においては、ケーブル挿通部材を、（１）機器Ｄ１、機器Ｄ２若しくはこれら以外の機器を内蔵したユニットを筺体内の所定箇所に支持するためのユニット支持部材、（２）筺体内を仕切るための仕切部材、又は、（３）機器Ｄ１、機器Ｄ２若しくはこれら以外の機器を覆って保護するための機器保護部材のいずれかとすることができる。かかる構成によって、コネクタ部αがユニット支持部材や仕切部材や機器保護部材に引っ掛からないようにすることが可能になる。
【００２１】
本発明の遊技機においては、筺体内におけるケーブル挿通部材のケーブル挿通穴の近傍に、遊技の進行を制御するためのメイン制御基板を配することも好ましい。かかる構成によって、本発明の構成を採用する意義がさらに高まるからである。というのも、遊技機の筺体内におけるメイン制御基板が配された箇所の近傍にケーブル挿通穴がある場合に、そのケーブル挿通穴をメイン制御基板への不正アクセスの手掛かりとしやすくなることについては、既に述べたが、本発明の遊技機では、ケーブル挿通穴の開口面積を小さく抑えることができるため、そのような場合でも不正アクセスを困難にすることができるからである。
【図面の簡単な説明】
【００２２】
【図１】回胴式遊技機を前方から見た状態を示した図である。
【図２】前扉を開いた状態の回胴式遊技機を示した斜視図である。
【図３】前扉ベースから照明演出ユニットを取り外した様子を斜め後方から見た状態を示した斜視図である。
【図４】旋回ガイド手段の作用によって旋回するコネクタ部αを後方から見た状態を示した図である。
【図５】液晶表示ユニット取付けベース（ケーブル挿通部材）を斜め後方から見た状態を示した斜視図である。
【図６】液晶表示ユニット取付けベース（ケーブル挿通部材）におけるケーブル挿通穴の周辺を後方（挿通方向一端側）から見た状態を拡大して示した図である。
【図７】図６におけるＡ−Ａ断面図である。
【図８】図６におけるＢ−Ｂ断面図である。
【図９】図６におけるＣ−Ｃ断面図である。
【図１０】図６におけるＤ−Ｄ断面図である。
【図１１】コネクタ付きケーブルＣにおけるコネクタ部αを示した斜視図である。
【図１２】コネクタ付きケーブルＣにおけるコネクタ部αをｘ軸方向正側から見た状態を示した図である。
【図１３】コネクタ付きケーブルＣにおけるコネクタ部αをｘ軸方向負側から見た状態を示した図である。
【図１４】コネクタ付きケーブルＣにおけるコネクタ部αをｚ軸方向正側から見た状態を示した図である。
【図１５】コネクタ付きケーブルＣにおけるコネクタ部αをｚ軸方向負側から見た状態を示した図である。
【図１６】コネクタ付きケーブルＣにおけるコネクタ部αをｙ軸方向正側から見た状態を示した図である。
【図１７】コネクタ付きケーブルＣにおけるコネクタ部αをｙ軸方向負側から見た状態を示した図である。
【発明を実施するための形態】
【００２３】
本発明の遊技機の好適な実施態様について、図面を用いてより具体的に説明する。以下においては、説明の便宜上、回胴式遊技機を例に挙げて本発明の遊技機を説明するが、本発明の遊技機の構成は、パチンコ遊技機等の他の遊技機においても採用することができる。
【００２４】
１．回胴式遊技機
図１は、回胴式遊技機１０を前方から見た状態を示した図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ１７と、音声演出を行うためのスピ−カー１８等を備えたものとなっており、操作部として、１遊技当たりの最大枚数（通常３枚）のメダルをベットするためのマックスベットボタン１９と、ベットするメダルを１枚ずつ増加するためのシングルベットボタン２０と、リール１３，１４，１５の回転を開始するためのスタートレバー２１と、リール１３，１４，１５の回転をそれぞれ停止するための３個のストップボタン２２，２３，２４と、演出を切り替えるためのチャンスボタン２５と、クレジットされたメダルを払い戻すための払戻しボタン２６等を有するものとなっている。
【００２５】
この回胴式遊技機１０は、メダルのクレジット枚数が所定枚数以上となった状態でスタートレバー２１が操作されると、役抽選が実行されるとともにリール１３，１４，１５が一斉に回転を開始し、ストップボタン２２，２３，２４がそれぞれ操作されると、操作されたストップボタン２２，２３，２４に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３７（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２６】
図２は、前扉１０ｂを開いた状態の回胴式遊技機１０を示した斜視図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。本実施態様においては、遊技機筺体の内部に、メイン制御基板ユニット３０、サブ制御基板ユニット３１、液晶表示ユニット３２、照明演出ユニット３３、電源ユニット３４、中継ユニット３５、リールユニット３６及びホッパーユニット３７等が納められている。
【００２７】
メイン制御基板ユニット３０は、役抽選や入賞判定等、遊技における基本的な制御を行うメイン制御基板が格納されたユニットである。サブ制御基板ユニット３１は、遊技における演出に関する制御を行うサブ制御基板が格納されたユニットである。液晶表示ユニット３２は、液晶ディスプレイ１６（図１を参照）に表示される映像による演出に関する制御を行う映像基板が格納されたユニットである。照明演出ユニット３３は、照明演出を行うための発光ランプ１７（図１を参照）が実装された光源基板が格納されたユニットである。電源ユニット３４は、回胴式遊技機１０における各機器に電力を供給する電源基板が格納されたユニットである。中継ユニット３５は、特定の機器に接続されたケーブルを中継する中継基板が格納されたユニットである。リールユニット３６は、リール１３，１４，１５の回転をそれぞれ独立して制御するリール制御基板を備えたユニットである。ホッパーユニット３７は、メダル投入口１１（図１を参照）に投入されたメダルを回収するとともに、メイン制御基板ユニット３０からの信号に基づいてメダル払出口１２（図１を参照）へメダルを送出する制御を行うホッパー制御基板を備えたユニットである。
【００２８】
図３は、照明演出ユニット３３を、前扉１０ｂを構成する前扉ベース１０ｂ２から取り外した様子（より正確には、照明演出ユニット３３を、前扉ベース１０ｂ２に固定された液晶表示ユニット取付けベース３２ａから取り外した様子。）を斜め後方から見た状態を示した斜視図である。図３においては、図示の便宜上、コネクタ付きケーブルＣの長さを実際よりも長く描いている（コネクタ付きケーブルＣは、そのとり回しに不便がない程度に短くすると好ましい。）。本実施態様において、液晶表示ユニット３２は、図３に示すように、液晶表示ユニット取付けベース３２ａを介して、前扉１０ｂにおける前扉ベース１０ｂ２の上段部に設けられた液晶表示用開口部１０ｂ３の後面側に固定されるようになっている。この液晶表示ユニット取付けベース３２ａは、上述した「ユニット支持部材」に該当するものである。本実施態様においては、中継ユニット３５も、液晶表示ユニット取付けベース３２ａに固定している。中継ユニット３５は、前扉ベース１０ｂ２におけるリール窓１０ｂ１よりも下側に固定されることもある。前扉ベース１０ｂ２の前面側における液晶表示用開口部１０ｂ３の周辺には、照明演出ユニット３３が固定されている。
【００２９】
また、本実施態様においては、図３に示すように、照明演出ユニット３３の光源基板から後方（図面におけるｙ軸方向正側。以下同じ。）へコネクタ付きケーブルＣが引き出され、コネクタ付きケーブルＣの一端側に設けられたコネクタ部αが、中継ユニット３５の中継基板に接続されるようになっている。ただし、照明演出ユニット３３の後面側は、液晶表示ユニット取付けベース３２ａで覆われた状態となるため、本実施態様においては、コネクタ付きケーブルＣを通すためのケーブル挿通穴５１を液晶表示ユニット取付けベース３２ａ（ケーブル挿通部材５０）に設けており、このケーブル挿通穴５１からコネクタ付きケーブルＣを後方に引き出すようにしている。
【００３０】
ところで、液晶表示ユニット３２のメンテナンス若しくは交換のため、又は、回胴式遊技機１０の廃棄の際にリサイクル部品を回収するため、液晶表示ユニット３２を前扉ベース１０ｂ２から取り外す必要が生じる場合がある。この場合において、上記のように、液晶表示ユニット取付けベース３２ａのケーブル挿通穴５１にコネクタ付きケーブルＣを挿通して、そのコネクタ部αを中継ユニット３５の中継基板に接続する構成を採用しているときには、照明演出ユニット３３を前扉ベース１０ｂ２から取り外す作業は、通常、以下のように行われる。すなわち、コネクタ付きケーブルＣの一端側のコネクタ部αを中継ユニット３５から取り外した状態とする一方、コネクタ付きケーブルＣの他端側のコネクタ部α’は、照明演出ユニット３３の光源基板に取り付けた状態のまま、照明演出ユニット３３を前扉ベース１０ｂ２の前方に引き抜くことによって行われる。
【００３１】
しかし、このように作業すると、照明演出ユニット３３を前方に引き抜く際に、図４（ａ），（ｂ）に示すように、コネクタ付きケーブルＣのコネクタ部αがケーブル挿通穴５１（図４における網掛けハッチングで示した部分）の挿通方向一端側（ｙ軸方向正側）の周辺部に引っ掛かり、コネクタ付きケーブルＣが過度に引っ張られて断線する虞がある。というのも、回胴式遊技機等の遊技機で使用されるコネクタ付きケーブルＣのコネクタ部αは、その外周形状が非円形（通常、矩形状）とされることが多く、ケーブル挿通穴５１も、その内周形状が非円形（通常、矩形状）とされることが多いため、コネクタ部αがケーブル挿通穴５１に対して傾いた状態となっていると、コネクタ部αの長手方向端部がケーブル挿通穴５１から突き出た状態となるからである。
【００３２】
この点、コネクタ部αの外周寸法に対してケーブル挿通穴５１の開口面積を十分に広くしておくと、コネクタ部αがケーブル挿通穴５１の周辺部に引っ掛かりにくくすることができる。しかし、ケーブル挿通穴５１の開口面積を広くすると、そのケーブル挿通穴５１が不正アクセスの手掛かりとされるリスクが高まる。特に、本実施態様においては、図２に示すように、ケーブル挿通穴５１が設けられた液晶表示ユニット取付けベース３２ａの後側のスペースには、遊技の全体的な制御を司るメイン制御基板が収容されたメイン制御基板ユニット３０が配されているため、ケーブル挿通穴５１の開口面積を広くすると、ケーブル挿通穴５１を手掛かりとしてメイン制御基板ユニット３０に不正アクセスされるリスクが高くなる。
【００３３】
このため、本実施態様においては、ケーブル挿通穴５１が不正アクセスの手掛かりとなりにくくすることを重視して、ケーブル挿通穴５１の内周形状を、コネクタ部αの外周形状と略相似形の矩形状とするとともに、ケーブル挿通穴５１の開口面積（ケーブル挿通穴５１の挿通方向に垂直な断面の面積。場所によって当該開口面積が異なる場合にはその最小値。以下、「開口面積Ｓ１」と表記する。）が、コネクタ部αの断面積（コネクタ付きケーブルＣの延伸方向に垂直な断面の面積。場所によって当該断面積が異なる場合にはその最大値。以下、「断面積Ｓ２」と表記する。）に対してあまり大きくならないようにしている。ケーブル挿通穴５１の開口面積Ｓ１に対するコネクタ部αの断面積Ｓ２の比Ｓ２／Ｓ１は、０．５以上とすると好ましく、０．６以上とするとより好ましく、０．８以上とするとさらに好ましく、０．９以上とすると最適である。不正アクセス防止の観点からは、比Ｓ２／Ｓ１は、できるだけ１に近づけると好ましい。
【００３４】
ただし、ケーブル挿通穴５１の開口面積Ｓ１に対するコネクタ部αの断面積Ｓ２の比Ｓ２／Ｓ１を１に近づけると、コネクタ部αがケーブル挿通穴５１の周辺部に引っ掛かりやすくなる。このため、本発明においては、図４（ａ），（ｂ）に示すように、コネクタ部αがケーブル挿通穴５１の周辺部に当接したとしても、同図における矢印Ａ，Ｂで示すようにコネクタ部αを旋回させることで、図４（ｃ）に示すように、コネクタ部αがケーブル挿通穴５１を通過できる向きとすることができるようにするための旋回ガイド手段を設けている。これにより、液晶表示ユニット取付けベース３２ａを前扉ベース１０ｂ２の後側に引き抜く際に、コネクタ部αがケーブル挿通穴５１の挿通方向一端側に当接したとしても、コネクタ部αをケーブル挿通穴５１の周辺部に引っ掛からせることなく、ケーブル挿通穴５１を通過させることが可能となっている。図４は、旋回ガイド手段の作用によって旋回するコネクタ部αを後方から見た状態を示した図である。
【００３５】
以下においては、コネクタ付きケーブルＣの一端側のコネクタ部αが接続される機器（以下、「機器Ｄ２」と表記する。）を中継ユニット３５の中継基板とし、コネクタ付きケーブルＣの他端側のコネクタ部α’が接続される機器（以下、「機器Ｄ１」と表記する。）を照明演出ユニット３３の光源基板とし、ケーブル挿通穴５１を設ける部材（以下、「ケーブル挿通部材」と表記する。）を液晶表示ユニット取付けベース３２ａとした場合を例に挙げて、上記の旋回ガイド手段について説明する。しかし、機器Ｄ２は、中継ユニット３５の中継基板に限定されず、他の機器（例えば、他のユニットに内蔵された回路基板や、モータ等）としてもよい。また、機器Ｄ１も、照明演出ユニット３３に限定されず、他の機器（例えば、他のユニットに内蔵された回路基板や、モータ等）としてもよい。さらに、ケーブル挿通部材５０も、液晶表示ユニット取付けベース３２ａに限定されず、他のユニット支持部材や、仕切部材や、機器保護部材等とすることができる。
【００３６】
２．旋回ガイド手段
旋回ガイド手段は、図３に示すケーブル挿通部材５０（本実施態様においては、液晶表示ユニット取付けベール３２ａ側）とコネクタ付きケーブルＣとのうち、ケーブル挿通部材５０に設けられる場合と、コネクタ付きケーブルＣに設けられる場合とがある。旋回ガイド手段は、ケーブル挿通部材５０とコネクタ付きケーブルＣとのうち、少なくともいずれか一方に設ければよい。以下においては、旋回ガイド手段をケーブル挿通部材５０に設ける場合（第一実施態様の旋回ガイド手段）と、旋回ガイド手段をコネクタ付きケーブルＣに設ける場合（第二実施態様の旋回ガイド手段）とに分けて説明する。しかし、旋回ガイド手段は、ケーブル挿通部材５０とコネクタ付きケーブルＣとの双方に設けることもできる。これにより、図４（ａ），（ｂ）に示すように、コネクタ部αがケーブル挿通穴５１の周辺部に引っ掛かるような状態になったとしても、コネクタ部αを、図４（ｃ）に示す状態まで、より確実且つ円滑に移動させることが可能になる。
【００３７】
２．１  第一実施態様の旋回ガイド手段（ケーブル挿通部材側ガイド体）
まず、旋回ガイド手段をケーブル挿通部材５０側に設ける場合（第一実施態様の旋回ガイド手段）について説明する。図５は、ケーブル挿通部材５０である液晶表示ユニット取付けベース３２ａを斜め後方から見た状態を示した斜視図である。図６は、図５のケーブル挿通部材５０におけるケーブル挿通穴５１の周辺を後方（挿通方向一端側）から見た状態を拡大して示した図である。図７は、図６におけるＡ−Ａ断面図である。図８は、図６におけるＢ−Ｂ断面図である。図９は、図６におけるＣ−Ｃ断面図である。図１０は、図６におけるＤ−Ｄ断面図である。図６〜１０において、網掛けハッチングで示した部分は、傾斜螺旋面状に形成された部分である。「傾斜螺旋面」については後述する。
【００３８】
第一実施態様の旋回ガイド手段は、図５及び図６に示すように、ケーブル挿通部材５０におけるケーブル挿通穴５１の挿通方向一端側（ｙ軸方向正側）の周辺部に設けられたケーブル挿通部材側ガイド体５２となっている。このケーブル挿通部材側ガイド体５２の内面β（ケーブル挿通穴５１の中心線Ｌ１側を向く面）がコネクタ部αに接触することで、コネクタ部αがケーブル挿通部材５０から受けるｙ軸方向の押圧力が、コネクタ部αを図４における矢印Ａ又は矢印Ｂの向きに旋回させる力に変換されるようになっている。ケーブル挿通部材側ガイド体５２は、ケーブル挿通部材５０を成形する際にケーブル挿通部材５０と一体的に形成したものであってもよいし、ケーブル挿通部材５０とは別個に成形されたものをケーブル挿通部材５０に対して事後的に固定したものであってもよい。また、本実施態様において、ケーブル挿通部材側ガイド体５２は、ケーブル挿通部材５０の後面から後方に突出した状態で設けているが、ケーブル挿通部材５０に埋め込んだ状態で設ける（ケーブル挿通部材５０から突出しないように穴状に設ける）こともできる。
【００３９】
ケーブル挿通部材側ガイド体５２は、ケーブル挿通穴５１の周囲における一部の区間にのみ設けてもよい。この場合、ケーブル挿通部材側ガイド体５２は、コネクタ付きケーブルＣのコネクタ部αが接触しやすい区間（ケーブル挿通穴５１の開口形状が矩形状である場合には、通常、長辺に沿った区間）に設けると好ましい。ただし、ケーブル挿通穴５１におけるコネクタ部αの引っ掛かりをより確実に防止するためには、ケーブル挿通部材側ガイド体５２を、ケーブル挿通穴５１の全周部に沿って設けると好ましい。本実施態様において、ケーブル挿通部材側ガイド体５２は、図６に示すように、矩形状のケーブル挿通穴５１の周囲における長辺部に沿って設けられた第一ガイド体５２ａ及び第二ガイド体５２ｂと、ケーブル挿通穴５１の周囲における短辺部に沿って設けられた第三ガイド体５２ｃ及び第四ガイド体５２ｄとで構成しており、ケーブル挿通穴５１の全周部に沿ってケーブル挿通部材側ガイド体５２を設けている。これにより、ケーブル挿通部材側ガイド体５２に対してコネクタ部αがどのような姿勢で接触したとしても、コネクタ部αを図４（ｃ）に示す姿勢まで旋回させることができるようになっている。
【００４０】
ケーブル挿通部材側ガイド体５２は、コネクタ部αを図４に示すように旋回させることができるのであれば、その具体的な形態を特に限定されない。本実施態様においては、図７〜１０に示すように、ケーブル挿通部材側ガイド体５２の内面β（第一ガイド体５２ａ、第二ガイド体５２ｂ、第三ガイド体５２ｃ及び第四ガイド体５２ｄの内面）を、ケーブル挿通穴５１の挿通方向一端側（ｙ軸方向正側の端部）に近い部分よりも遠い部分（ケーブル挿通部材５０から後方に大きく突き出た部分）の方がケーブル挿通穴５１の中心線Ｌ１よりも遠くなるように傾斜して形成している。このため、ケーブル挿通部材側ガイド体５２に当接したコネクタ部αがケーブル挿通穴５１に導入されやすくなっている。
【００４１】
ケーブル挿通穴５１の中心線Ｌ１に対するケーブル挿通部材側ガイド体５２の内面βの傾斜角度θ１（図７，９を参照。）は、特に限定されない。しかし、傾斜角度θ１を小さくしすぎても（０°に近づけすぎても）、大きくしすぎても（９０°に近づけすぎても）、ケーブル挿通部材側ガイド体５２が設けられていないのと同様の状態となってしまい、ケーブル挿通部材５０にケーブル挿通部材側ガイド体５２を設ける意義が低下する。このため、傾斜角度θ１は、１０°以上とすると好ましく、２０°以上とするとより好ましく、３０°以上とするとさらに好ましい。また、傾斜角度θ１は、８０°以下とすると好ましく、７０°以下とするとより好ましく、６０°以下とするとさらに好ましい。
【００４２】
ケーブル挿通部材側ガイド体５２の内面βにおける、コネクタ部αに当接する部分は、平面状や錐面状に形成してもよいが、傾斜螺旋面状に形成すると好ましい。これにより、コネクタ部αをよりスムーズに旋回させることが可能となる。ここで、「傾斜螺旋面」とは、ある中心線（以下において、「中心線Ｌ２」と表記する。）に対して傾斜した線分（中心線Ｌ２に対して非垂直且つ非平行な線分。以下において、「線分Ｌ３」と表記する。）を、中心線Ｌ２を中心として螺旋状（楕円螺旋状を含む。）に回転させた場合における線分Ｌ３の軌跡面のことを云う。本実施態様においては、第一ガイド体５２ａと第二ガイド体５２ｂの内面βにおける、図６において網掛けハッチングで示した部分を傾斜螺旋面状に形成している。ケーブル挿通部材側ガイド体５２の内面βを傾斜螺旋面状に形成する場合、当該傾斜螺旋面の中心線Ｌ２は、通常、ケーブル挿通穴５１の中心線Ｌ１に対して略平行とされる。第一ガイド体５２ａと第二ガイド体５２ｂとに回転螺旋面状の部分を設ける場合等、異なるガイド体に回転螺旋面状の部分を設ける場合には、一のガイド体における傾斜螺旋面の中心線Ｌ２と、他のガイド体における傾斜螺旋面の中心線Ｌ２は、一致させてもよいが、ずらしていてもよい。
【００４３】
以上のように、ケーブル挿通部材５０におけるケーブル挿通穴５１の挿通方向一端側にケーブル挿通部材側ガイド体５２を設けることによって、ケーブル挿通穴５１にコネクタ付きケーブルＣを通した状態のまま、ケーブル挿通部材５０をコネクタ付きケーブルＣにおけるコネクタα側に引き抜こうとした際に、図４（ａ），（ｂ）に示すように、コネクタ部αがケーブル挿通穴５１の挿通方向一端側に当接した状態になったとしても、ケーブル挿通部材側ガイド体５２によって、コネクタ部αが図４（ｃ）に示す状態となるまで旋回されてケーブル挿通穴５１に導き入れられるようになっている。この効果は、コネクタ付きケーブルＣに、後述するコネクタ側ガイド体６０（図１４を参照）を設けていない場合（コネクタ部αがコネクタ本体部α１のみで形成されている場合）でも奏される。
【００４４】
２．２  第二実施態様の旋回ガイド手段（コネクタ側ガイド体）
続いて、旋回ガイド手段をコネクタ付きケーブルＣ側に設ける場合（第二実施態様の旋回ガイド手段）について説明する。図１１は、コネクタ付きケーブルＣにおけるコネクタ部αを示した斜視図である。図１２，１３，１４，１５，１６，１７は、コネクタ付きケーブルＣにおけるコネクタ部αを、それぞれ、ｘ軸方向正側、ｘ軸方向負側、ｚ軸方向正側、ｚ軸方向負側、ｙ軸方向正側及びｙ軸方向負側から見た状態を示した図である。
【００４５】
第二実施態様の旋回ガイド手段は、図１１に示すように、コネクタ付きケーブルＣのコネクタ部αにおける機器Ｄ２（図３における中継ユニット３５の中継基板）に接続される側とは反対側の端部（ｙ軸方向負側の端部）に設けられたコネクタ側ガイド体６０となっている。このコネクタ側ガイド体６０の外周面が、図３に示すケーブル挿通穴５１の挿通方向一端側の周辺部に接触することで、コネクタ部αがケーブル挿通部材５０から受けるｙ軸方向の押圧力が、コネクタ部αを図４における矢印Ａ又は矢印Ｂの向きに旋回させる力に変換されるようになっている。図３及び図４等においては、ケーブル挿通部材側ガイド体５２を描いているが、コネクタ部αにコネクタ側ガイド体６０を設ける場合には、ケーブル挿通部材側ガイド体５２を設ける必要はない。コネクタ側ガイド体６０は、コネクタ部αのコネクタ本体部α１を成形する際にコネクタ本体部α１と一体的に形成したものであってもよいが、本実施態様においては、コネクタ本体部α１とは別個に成形されたものをコネクタ本体部α１に対して事後的に固定している。
【００４６】
コネクタ側ガイド体６０は、コネクタ部αを図４に示すように旋回させることができるのであれば、その具体的な形態を特に限定されない。本実施態様においては、図１１に示すように、コネクタ側ガイド体６０を、機器Ｄ２が接続される側（ｙ軸方向正側）から反対側（ｙ軸方向負側）に向かって先細り状に形成するとともに、コネクタ側ガイド体６０の外周面における所定箇所（図１１〜１７において網掛けハッチングで示した部分）を傾斜螺旋面状に形成している。ここで、「傾斜螺旋面」が意味するところは、ケーブル挿通部材側ガイド体５２における「傾斜螺旋面」で説明したもの（ある中心線Ｌ２に対して傾斜した線分Ｌ３を、中心線Ｌ２を中心として螺旋状（楕円螺旋状を含む。）に回転させた場合における線分Ｌ３の軌跡面）と同様である。コネクタ側ガイド体６０の外周面に傾斜螺旋面状の部分を形成する場合、当該傾斜螺旋面の中心線Ｌ２は、通常、コネクタ部αの中心線Ｌ４に対して略平行とされる。また、後述するように、コネクタ側ガイド体６０の外周面における複数箇所に回転螺旋面状の部分を設ける場合には、一の箇所に設けた傾斜螺旋面の中心線Ｌ２と、他の箇所に設けた傾斜螺旋面の中心線Ｌ２は、一致させてもよいが、ずらしていてもよい。
【００４７】
コネクタ側ガイド体６０の外周面は、その全体を傾斜螺旋状に形成してもよいし、その一部のみを傾斜螺旋状に形成してもよい。後者の場合には、コネクタ側ガイド体６０の外周面における、ケーブル挿通穴５１の挿通方向一端側に接触しやすい部分を傾斜螺旋状に形成すると好ましい。本実施態様においては、図１７に示すように、コネクタ側ガイド体６０の外周面が、第一幅広面６１と第二幅広面６２と第一幅狭面６３と第二幅狭面６４とで構成されているところ、図１４及び図１５に示すように、第一幅広面６１と第一幅狭面６３とに跨る第一領域γ１と、第一幅広面６１と第二幅狭面６４とに跨る第二領域γ２と、第二幅広面６２と第一幅狭面６３とに跨る第三領域γ３と、第二幅広面６２と第二幅狭面６４とに跨る第四領域γ４とを傾斜螺旋状に形成している。
【００４８】
第一領域γ１は、図１４に示すように、コネクタ側ガイド体６０を第一幅広面６１の法線方向（ｚ軸方向正側）から見たときに、コネクタ本体部α１側（ｙ軸方向正側）から反対側（ｙ軸方向負側）に向かって横幅（ｘ軸方向の幅）が狭くなるように形成される一方、図１２に示すように、コネクタ側ガイド体６０を第一幅狭面６３の法線方向（ｘ軸方向正側）から見たときには、コネクタ本体部α１側（ｙ軸方向正側）から反対側（ｙ軸方向負側）に向かって縦幅（ｚ軸方向の幅）が広くなるように形成されている。また、第二領域γ２は、図１４に示すように、コネクタ側ガイド体６０を第一幅広面６１の法線方向（ｚ軸方向正側）から見たときに、コネクタ本体部α１側（ｙ軸方向正側）から反対側（ｙ軸方向負側）に向かって横幅（ｘ軸方向の幅）が狭くなるように形成される一方、図１３に示すように、コネクタ側ガイド体６０を第二幅狭面６４の法線方向（ｘ軸方向負側）から見たときには、コネクタ本体部α１側（ｙ軸方向正側）から反対側（ｙ軸方向負側）に向かって縦幅（ｚ軸方向の幅）が広くなるように形成されている。
【００４９】
さらに、第三領域γ３は、図１５に示すように、コネクタ側ガイド体６０を第二幅広面６２の法線方向（ｚ軸方向負側）から見たときに、コネクタ本体部α１側（ｙ軸方向正側）から反対側（ｙ軸方向負側）に向かって横幅（ｘ軸方向の幅）が狭くなるように形成される一方、図１２に示すように、コネクタ側ガイド体６０を第一幅狭面６３の法線方向（ｘ軸方向正側）から見たときには、コネクタ本体部α１側（ｙ軸方向正側）から反対側（ｙ軸方向負側）に向かって縦幅（ｚ軸方向の幅）が広くなるように形成されている。さらにまた、第四領域γ４は、図１５に示すように、コネクタ側ガイド体６０を第二幅広面６２の法線方向（ｚ軸方向負側）から見たときに、コネクタ本体部α１側（ｙ軸方向正側）から反対側（ｙ軸方向負側）に向かって横幅（ｘ軸方向の幅）が狭くなるように形成される一方、図１３に示すように、コネクタ側ガイド体６０を第二幅狭面６４の法線方向（ｘ軸方向負側）から見たときには、コネクタ本体部α１側（ｙ軸方向正側）から反対側（ｙ軸方向負側）に向かって縦幅（ｚ軸方向の幅）が広くなるように形成されている。
【００５０】
コネクタ側ガイド体６０の外周面における、第一領域γ１、第二領域γ２、第三領域γ３及び第四領域γ４は、ケーブル挿通穴５１の挿通方向一端側の周辺に当接しやすい箇所であるところ、これらの箇所を傾斜螺旋状に形成することによって、ケーブル挿通穴５１にコネクタ付きケーブルＣを通した状態のまま、ケーブル挿通部材５０をコネクタ付きケーブルＣにおけるコネクタα側に引き抜こうとした際に、図４（ａ），（ｂ）に示すように、コネクタ部αがケーブル挿通穴５１の挿通方向一端側に当接した状態になったとしても、コネクタ側ガイド体６０によって、コネクタ部αが図４（ｃ）に示す状態となるまで旋回されてケーブル挿通穴５１に導き入れられるようにすることが可能となっている。この効果は、ケーブル挿通部材５０（図５を参照）におけるケーブル挿通穴５１の挿通方向一端側に、上述したケーブル挿通部材側ガイド体５２を設けていなくても奏される。
【符号の説明】
【００５１】
１０      回胴式遊技機（遊技機）
１０ａ    筺体本体（遊技機筺体）
１０ｂ    前扉（遊技機筺体）
１０ｂ１  リール窓
１０ｂ２  前扉ベース
１０ｂ３  液晶表示用開口部
１１      メダル投入口
１２      メダル払出口
１３      左リール（リール）
１４      中リール（リール）
１５      右リール（リール）
１６      液晶ディスプレイ
１７      発光ランプ
１８      スピーカー
１９      マックスベットボタン
２０      シングルベットボタン
２１      スタートレバー
２２      左リール用ストップボタン（ストップボタン）
２３      中リール用ストップボタン（ストップボタン）
２４      右リール用ストップボタン（ストップボタン）
２５      チャンスボタン
２６      払戻しボタン
３０      メイン制御基板ユニット
３１      サブ制御基板ユニット
３２      液晶表示ユニット
３２ａ    液晶表示ユニット取付けベース（ケーブル挿通部材）
３３      照明演出ユニット（機器Ｄ１）
３４      電源ユニット
３５      中継ユニット（機器Ｄ２）
３６      リールユニット
３７      ホッパーユニット
５０      ケーブル挿通部材
５１      ケーブル挿通穴
５２      ケーブル挿通部材側ガイド体（旋回ガイド手段）
５２ａ    第一ガイド体
５２ｂ    第二ガイド体
５２ｃ    第三ガイド体
５２ｄ    第四ガイド体
６０      コネクタ側ガイド体（旋回ガイド手段）
６１      第一幅広面
６２      第二幅広面
６３      第一幅狭面
６４      第二幅狭面
Ｃ      コネクタ付きケーブル
Ｌ１    ケーブル挿通穴の中心線
Ｌ４    コネクタ部αの中心線
α      コネクタ部
α１    コネクタ本体部
β      ケーブル挿通部材側ガイド体の内面
γ１    第一領域
γ２    第二領域
γ３    第三領域
γ４    第四領域
θ１    ケーブル挿通穴の中心線に対するケーブル挿通部材側ガイド体の内面の傾斜角度
【要約】
【課題】
ケーブル挿通部材におけるケーブル挿通穴の開口面積を抑えながらも、コネクタ付きケーブルのコネクタ部がケーブル挿通穴の周辺部に引っ掛かりにくくする。
【解決手段】
筺体内に収容された機器Ｄ１と機器Ｄ２とがコネクタ付きケーブルＣで接続され、外周形状が非円形のコネクタ部αがコネクタ付きケーブルＣにおける一端部に設けられ、ケーブル挿通穴５１を有するケーブル挿通部材５０がコネクタ付きケーブルＣの配線経路に設けられた遊技機において、ケーブル挿通穴５１の内周形状をコネクタ部αの外周形状と略同形にするとともに、機器Ｄ２から取り外したコネクタ部αをケーブル挿通部材５０よりも機器Ｄ１側へ引き抜こうとしてコネクタ部αがケーブル挿通穴５１の挿通方向一端側の周辺部に当接した際に、ケーブル挿通穴５１を通過できる向きとなるまでコネクタ部αを旋回させるための旋回ガイド手段５２を設けた。
【選択図】  図４【図１】
0005944603.tif 000002
【図２】
0005944603.tif 000003
【図３】
0005944603.tif 000004
【図４】
0005944603.tif 000005
【図５】
0005944603.tif 000006
【図６】
0005944603.tif 000007
【図７】
0005944603.tif 000008
【図８】
0005944603.tif 000009
【図９】
0005944603.tif 000010
【図１０】
0005944603.tif 000011
【図１１】
0005944603.tif 000012
【図１２】
0005944603.tif 000013
【図１３】
0005944603.tif 000014
【図１４】
0005944603.tif 000015
【図１５】
0005944603.tif 000016
【図１６】
0005944603.tif 000017
【図１７】
0005944603.tif 000018